(57)【要約】【課題】確実に余剰フィルムを切り離すことができるフィルム継ぎ装置を提供すると共に、従来の手動フィルム継ぎ装置を設備した充填包装機に対しても自動化機能を追加構成することができるフィルム継ぎ装置を提供する。【解決手段】本発明のフィルム継ぎ装置は、フィルム継ぎ動作の前に現用側フィルムＦ１の規定位置をフィルム継ぎ機構１０１において切断して明確な終端部分を作り、この終端部分に対して待機中の予備側フィルムＦ２の始端部分を張り合わせている。この結果、簡単な構成で確実なフィルム継ぎ動作ができる。また、フィルム継ぎ動作を司る駆動部材を２セット分設置して現用フィルムロールと予備フィルムロールの切り替えに合わせて、この駆動部材も切り替わるように制御する。この結果、ターレット機構の省略が可能になり、手動フィルム継ぎ装置を設備した充填包装機に対しても自動化機能を追加構成できる。【選択図】      図１
2008001429.tif 000002
【特許請求の範囲】
【請求項１】
自動包装機に送り出している走行中の包装フィルムの終端部分に、待機中の包装フィルムの始端部分を接着する自動フィルム継ぎ装置であって、
前記走行中の包装フィルムの近傍に、両包装フィルムを合掌状に接着させるシール手段と、待機中の包装フィルムの始端部分を仮止めさせるフィルム保持手段と、走行中の包装フィルムに対して新たな終端部分を決めてこの終端部分を切り離す終端切断手段とを配設し、
前記自動包装機がフィルム継ぎを指示すると、フィルム継ぎ装置は、最初に、終端切断手段によって、走行中の包装フィルムに対して終端部分を形成して切断し、その後、シール手段によって、切り離されたフィルム終端部分に対して保持されていたフィルム始端部分を接着することを特徴とするフィルム継ぎ装置。
【請求項２】
自動包装機に送り出している走行中の包装フィルムの終端部分に、待機中の包装フィルムの始端部分を接着する自動フィルム継ぎ装置であって、
前記走行中の包装フィルムの近傍に、両包装フィルムを合掌状に接着させるシール手段と、待機中の包装フィルムの始端部分を仮止めさせるフィルム保持手段と、走行中の包装フィルムに対して新たな終端部分を決めてこの終端部分を切り離す終端切断手段とを配設し、
前記自動包装機がフィルム継ぎを指示すると、フィルム継ぎ装置は、最初に、走行中の包装フィルムを停止し、終端切断手段によって、停止した包装フィルムに対して終端部分を形成すると共に、形成された終端部分を切り離し、その後、シール手段によって、切り離された包装フィルムの終端部分と待機中の包装フィルムの始端部分を合掌状に溶着し、溶着された待機中の包装フィルムを自動包装機に送り出すために走行開始することを特徴とするフィルム継ぎ装置。
【請求項３】
自動包装機に送り出している走行中の包装フィルムの終端部分に、待機中の包装フィルムの始端部分を接着する自動フィルム継ぎ装置であって、
前記自動包装機には、一方のフィルム繰り出し機構が搭載され、自動フィルム継ぎ装置には、他方のフィルム繰り出し機構と走行中並びに待機中両方の包装フィルムを溶着するフィルム継ぎ機構とが搭載され、
前記自動包装機のフィルム繰り出し機構に対して、自動フィルム継ぎ装置のフィルム繰り出し機構とフィルム継ぎ機構とを隣接して付加接続することでフィルム継ぎ動作の自動化機能が付加構成されることを特徴とするフィルム継ぎ装置。
【請求項４】
前記自動フィルム継ぎ装置のシール手段は、走行中の包装フィルムの終端部分と待機中の包装フィルムの始端部分を合掌状に溶着するためのフィルム接合機構と、これら二つのフィルム端部をフィルム接合機構に押し込むフィルム押し込み機構で構成され、このフィルム接合機構のフィルム挿入口の上側角部付近と下側角部付近には複数のガイド棒部材が設けられており、これらのガイド棒部材は、挿入される二つのフィルム端部が突っ張ることなく互いに分離空間を保有するように配置されていることを特徴とする請求項１と請求項２に記載のフィルム継ぎ装置。
【発明の詳細な説明】
【技術分野】
【０００１】
本発明は、例えばロール状に巻かれた原反ロールからフィルムを引き出しながら折りたたみ、ヒートシールを施して包装袋とした後に、内容物を投入して密封する充填包装機に用いるフィルム継ぎ装置に関し、特に走行中の現用フィルムの終端部分と待機中の予備フィルムの始端部分を確実に接続する自動フィルム継ぎ装置に関するものである。
【背景技術】
【０００２】
従来のロールタイプ充填包装機は、原反ロール状の包装フィルムを繰り出し機構によって上方に引き出し、最上位置にあるガイドロールによって垂直下方に方向転換させ、折りたたみ機構によって幅方向に二つ折りにし、次いでこの二つ折り状態の包装フィルムを一対の縦シールロールに導いて縦シールを施している。この縦シールによって二つ折りされた包装フィルムは両端部が接合して円筒状になり、その後、この円筒状包装フィルムは、一対の第一横シールロールに導かれて横シールが施されて袋状になり、充填機構によって包装袋の内容物が投入された後、再び第一横シールロールによって包装袋の投入口に対して横シールが施されて封止状態となる。
【０００３】
次に、第一横シールロールによって横シールされた部分に対して、一対の第二横シールロールを用いて再度横シールを施してシール強度を増やした後、この連包状態の包装袋は、第一及び第二のカッター装置に導かれ、横シール中央付近に対して切り離し加工若しくはミシン目加工が施されて個別包装袋となる。
【０００４】
このような充填包装機において包装袋を形成しているフィルムは、ロール状に巻かれた原反から引き出して使用している。そして、この原反ロールの包装フィルムが消費されてなくなると、人手により充填包装機を停止して新しい原反ロールに取り換えて再び包装機を運転していた。この際、走行中の原反ロールのフィルムが全て引き出され、包装機に供給されるフィルムが空の状態になってしまうと、新しい原反ロールを再度セットして、フィルムの始端部を引き出し、複数のフィルム送りローラ、折り返し機構、シール機構やカッター機構の間にフィルムを引き廻して配設する煩雑な作業を繰り返して行わねばならないという問題があるため、フィルムが無くなる前に事前に機械を停止して新しい原反ロールと取り換えて再び機械を運転させていた。このため原反ロールの交換時は包装作業ができなくなり、包装の作業能率を低下させる原因となっていた。また最近のオートメーション化により物品の包装から計数、梱包、出荷までライン化している状況下において、充填包装機など機械の停止は全ラインの効率低下につながるという問題もあった。
【０００５】
そこで、特許文献１に記載されているように、走行中の原反ロールとは別に予備の原反ロールを予め包装機にセットしておき、この予備の原反ロールからフィルムの始端部を引き出してフィルム接続部に隣接して設けた保持部材により停止状態に支持して待機させ、前記走行中の原反ロールのフィルムが消費されてしまった時、それを検知して走行中のフィルムの終端部と待機中のフィルムの始端部とを前記フィルム接続部にてフィルム同士を接続させて、機械を停止させることなく連続してフィルムを供給するようにしたフィルム繰り出し装置が提案されている。
【特許文献１】特開２００５−３３５７５９号公報
【発明の開示】
【発明が解決しようとする課題】
【０００６】
特許文献１によるフィルム繰り出し装置においては、走行中原反ロールのフィルムと予備原反ロールのフィルムの接続手段として熱溶断シール装置を設け、走行中の原反ロールのフィルムが所定量消費されたことを検知すると、シール装置を作動して走行中のフィルムと待機中のフィルムとを互いに溶着させてフィルム接続を行うと同時に、消費された古い原反ロールの位置と溶着された新しい原反ロールの位置を回転させて切り換えるようにしているため、充填包装機を停止することなく予備の原反ロールへの切り換えを行うことができるというメリットがある。
【０００７】
しかしながら、従来のフィルム継ぎ装置は、走行中の原反ロールの終わりを検出すると、走行中のフィルムに対して溶断シール装置を用いて、先に予備のフィルム始端部分を接着し、走行中フィルムの余剰部分は押し込み又は引っ張り機構を用いて溶断シール部分から引き剥がしていた。このため溶断シール状況によっては確実に切り離せないケースが発生していた。
【０００８】
また、特許文献１によるフィルム継ぎ装置は、当初より充填包装機内にフィルム継ぎ装置全体が搭載された構成になっており、人手により充填包装機を停止して新しい原反ロールに取り換えて再び包装機を運転する手動フィルム継ぎ装置を設備した従来の充填包装機に対しては、この自動フィルム継ぎ機構を追加して搭載することができなかった。
【０００９】
本発明は、上記従来のフィルム継ぎ装置における余剰フィルム引き剥がしの問題点並びに手動フィルム継ぎ装置を設備した従来の充填包装機に追加搭載する上での問題点に鑑み創作されたもので、確実に余剰フィルムを切り離すことができると共に、手動フィルム継ぎ装置を設備した従来の充填包装機に対しても自動化機能を付加構成することができるフィルム継ぎ装置を提供することを目的としている。
【課題を解決するための手段】
【００１０】
上記の目的を達成するために、本発明の請求項１に係るフィルム継ぎ装置は、自動包装機に送り出している走行中の包装フィルムの終端部分に、待機中の包装フィルムの始端部分を接着する自動フィルム継ぎ装置であって、前記走行中の包装フィルムの近傍に、両包装フィルムを合掌状に接着させるシール手段と、待機中の包装フィルムの始端部分を仮止めさせるフィルム保持手段と、走行中の包装フィルムに対して新たな終端部分を決めてこの終端部分を切り離す終端切断手段とを配設し、前記自動包装機がフィルム継ぎを指示すると、フィルム継ぎ装置は、最初に、終端切断手段によって、走行中の包装フィルムに対して終端部分を形成して切断し、その後、シール手段によって、切り離されたフィルム終端部分に対して保持されていたフィルム始端部分を接着することを特徴としている。
【００１１】
また、本発明の請求項２に係るフィルム継ぎ装置は、自動包装機に送り出している走行中の包装フィルムの終端部分に、待機中の包装フィルムの始端部分を接着する自動フィルム継ぎ装置であって、前記走行中の包装フィルムの近傍に、両包装フィルムを合掌状に接着させるシール手段と、待機中の包装フィルムの始端部分を仮止めさせるフィルム保持手段と、走行中の包装フィルムに対して新たな終端部分を決めてこの終端部分を切り離す終端切断手段とを配設し、前記自動包装機がフィルム継ぎを指示すると、フィルム継ぎ装置は、最初に、走行中の包装フィルムを停止し、終端切断手段によって、停止した包装フィルムに対して終端部分を形成すると共に、形成された終端部分を切り離し、その後、シール手段によって、切り離された包装フィルムの終端部分と待機中の包装フィルムの始端部分を合掌状に溶着し、溶着された待機中の包装フィルムを自動包装機に送り出すために走行開始することを特徴としている。
【００１２】
本発明の請求項１及び請求項２に係るフィルム継ぎ装置によれば、確実に余剰フィルムを切り離すことができるフィルム継ぎ装置を提供できる。
また、本発明の請求項３に係るフィルム継ぎ装置は、自動包装機に送り出している走行中の包装フィルムの終端部分に、待機中の包装フィルムの始端部分を接着する自動フィルム継ぎ装置であって、前記自動包装機には、一方のフィルム繰り出し機構が搭載され、自動フィルム継ぎ装置には、他方のフィルム繰り出し機構と走行中並びに待機中両方の包装フィルムを溶着するフィルム継ぎ機構とが搭載され、前記自動包装機のフィルム繰り出し機構に対して、自動フィルム継ぎ装置のフィルム繰り出し機構とフィルム継ぎ機構とを隣接して付加接続することでフィルム継ぎ動作の自動化機能が付加構成されることを特徴としている。
【００１３】
本発明の請求項３に係るフィルム継ぎ装置によれば、手動フィルム継ぎ装置を設備した従来の充填包装機に対しても自動化機能を付加構成することができるフィルム継ぎ装置を提供できる。
【００１４】
また、本発明の請求項４に係る自動フィルム継ぎ装置のシール手段は、走行中の包装フィルムの終端部分と待機中の包装フィルムの始端部分を合掌状に溶着するためのフィルム接合機構と、これら二つのフィルム端部をフィルム接合機構に押し込むフィルム押し込み機構で構成され、このフィルム接合機構のフィルム挿入口の上側角部付近と下側角部付近には複数のガイド棒部材が設けられており、これらのガイド棒部材は、挿入される二つのフィルム端部が突っ張ることなく互いに分離空間を保有するように配置されていることを特徴としている。
【００１５】
本発明の請求項４に係るフィルム継ぎ装置によれば、二つのフィルム端部がフィルム接合機構の挿入口に押し込まれる際に発生するフィルム摩擦抵抗を抑えることができ、包装フィルムの材質やテンションの張り具合に左右されないフィルム継ぎ装置を提供できる。
【発明の効果】
【００１６】
以上説明したように、本発明に係る充填包装機におけるフィルム継ぎ装置によれば、確実に余剰フィルムを切り離すことができるフィルム継ぎ装置を提供できると共に、従来の手動フィルム継ぎ装置を設備した充填包装機に対しても自動化機能を追加構成することができるフィルム継ぎ装置を提供できるという優れた効果を奏し得る。
【発明を実施するための最良の形態】
【００１７】
まず、図面を用いて、本発明にかかるロールタイプ自動包装機と自動フィルム継ぎ装置の全体構成について説明する。図１は、本発明にかかるロールタイプ自動包装機と自動フィルム継ぎ装置の正面図である。
【００１８】
図１に示すように、ロールタイプ自動包装機１（以下、自動包装機１と略す）の機台右側部にリールが設けられており、このリールには包装フィルムＦ１を巻回した原反ロールＦＸが脱着交換可能に保持される。また、包装フィルムＦ１は透明又は半透明な材料から構成され、例えば、ＰＥＴ等のベースフィルムとこのベースフィルムよりも融点の低いポリエチレン等のヒートシールフィルムから構成される。また、包装フィルムはベースフィルム、中間フィルム、ヒートシールフィルムの３層構造を有してもよい。なお、この原反ロールＦＸは現用側の原反ロールとして動作しており、この原反ロールＦＸの終わりが近付いている状態即ち、原反ロールＦＸに巻回された包装フィルムＦ１の終端が近付いている状態を表している。
【００１９】
原反ロールＦＸから送り出された包装フィルムＦ１は、自動包装機１の隣に併設された自動フィルム継ぎ装置１００に送り込まれ、複数のフィルム送りローラを経由してフィルム継ぎ機構１０１に送られる。
【００２０】
一方、予備側原反ロールＦＹは、自動フィルム継ぎ装置１００内に設けられたリールに脱着交換可能に保持されており、この予備側原反ロールＦＹから送り出された包装フィルムＦ２は、複数のフィルム送りローラを経由してフィルム継ぎ機構１０１に送り込まれている。
【００２１】
そして、フィルム継ぎ機構１０１は、現用側原反ロールＦＸの終端部分が検出されていない状態ではフィルム継ぎ動作は駆動されておらず、現用側包装フィルムＦ１は、このフィルム継ぎ機構１０１を通過してフィルム送りローラ１０５に送り出されている。また、予備側原反ロールＦＹから送り出された包装フィルムＦ２は、フィルム継ぎ機構１０１内のフィルム保持部材に仮止めされて送り出し停止状態となっている。
【００２２】
次に、現用側原反ロールＦＸの終端部分が検出された状態になると、フィルム継ぎ機構１０１はフィルム継ぎ動作を開始し、現用側包装フィルムＦ１の終端部分に予備側包装フィルムＦ２の始端部分が張り合わされる。この結果、現用側包装フィルムはＦ１からＦ２に切り換えられ、包装フィルムＦ２は、このフィルム継ぎ機構１０１を通過してフィルム送りローラ１０５に送り出されることになる。
【００２３】
フィルム送りローラ１０５を通過した包装フィルムＦ３は、フィルム継ぎ装置側繰り出し機構１０２を経由して手繰り機構（アキュムレート機構）１０３に送られる。このフィルム継ぎ装置側繰り出し機構１０２と手繰り機構（アキュムレート機構）１０３は、フィルム継ぎ動作を実施する間だけフィルム繰り出し動作を停止しても自動包装機１の包装袋作成過程に影響を与えないようにするためのもので、概ね次のように動く。
【００２４】
（１）手繰り機構（アキュムレート機構）１０３において、事前に自動包装機１へ繰り出す包装フィルムを互いに離間した複数のフィルム送りローラ間に引き回すように配設して余裕を持たせておく。
（２）フィルム継ぎ動作を実施するためにフィルム継ぎ装置側繰り出し機構１０２の動作が停止すると、手繰り機構（アキュムレート機構）１０３は、この離間した複数のフィルム送りローラ間を徐々に縮めるながら引き回された余裕フィルムを自動包装機１に送り出す。この間にフィルム継ぎ動作を完了させる。
（３）フィルム継ぎ動作が完了すると、フィルム継ぎ装置側繰り出し機構１０２は、予備側フィルムを現用側フィルムとして引き出すように動き始める。
（４）動き始めたフィルム継ぎ装置側繰り出し機構１０２の繰り出し量は、自動包装機１が必要としているフィルム量と、手繰り機構（アキュムレート機構）１０３がフィルム繰り出し停止時に消費した余裕フィルム量を補充する分の合計値で動作し、手繰り機構（アキュムレート機構）１０３の余裕フィルム量が規定値に達すると通常のフィルム繰り出し量に戻る。
【００２５】
手繰り機構（アキュムレート機構）１０３を通過した包装フィルムは、エンコーダ機構１０４に送られてフィルム送り量を正確に計測され、その後自動包装機１に戻って包装フィルムを上方に引き出す包装機側繰り出し機構２に送られる。
【００２６】
包装機側繰り出し機構２から引き出された包装フィルムは、一旦最上位置に引き上げられ後に垂直下方に方向転換させるガイドロール３を通過し、垂直下方に流れる包装フィルムを幅方向に二つ折りする折りたたみ機構４と内容物を投入する充填機構５を経由して二つ折りされた包装フィルムの両端部を挟み込んで縦シールを施す一対の縦シールロール６に送られる。
【００２７】
その後、縦シールされた包装フィルムを横断する方向に挟み込んで最初に横シールを施す第一横シール機構７と、第一横シールロールによって横シールされた部分に対して、再度挟み込んでシール強度を増やすようにした一対の横シールロールで構成された第二横シール機構８を経由して連包状態の包装袋となった包装フィルムは、第一カッター装置９と第二カッター装置１０に導かれ、横シール中央付近に対して切り離し加工若しくはミシン目加工が施されて個別包装袋になる。なお、符号１１は切り離された個別包装袋を受け取って搬送する滑り台であり、符号１２及び１３は自動包装機１を操作するための操作ボックスである。
【００２８】
図２は、本発明にかかる自動フィルム継ぎ装置１００のフィルム継ぎ機構１０１の一部断面を含む正面図である。図２に示すように、フィルム継ぎ機構１０１には、現用側包装フィルム若しくは予備側包装フィルムが通過する通路１６０と通路１６１が想定されており、この通路に添って各種部材が構成されている。なお、今回の説明においては、図１に示すように、便宜上通路１６０に流れる包装フィルムを現用側とし、通路１６１に流れる包装フィルムを予備側とする。そして、この二つの通路１６０、１６１に流れる包装フィルムの役割は、フィルム継ぎ動作が行われる度に現用側と予備側とで切り替わるようになる。
【００２９】
通路１６０には、左側フィルム押え部材１１０があり、現用側包装フィルムＦ１を中央の固定部材１６２に一時的に押え付けるエアーシリンダ１１２と、このエアーシリンダ１１２の先端に設けた押え板１１４で構成されている。
【００３０】
この上には、左側フィルムカッター部材１２０があり、包装フィルムＦ１を切断するカッター用エアーシリンダ１２４と、このこのエアーシリンダ１２４の先端に設けたカッター刃１２２で構成されている。
【００３１】
通路１６１には、右側フィルム押え部材１１１があり、予備側包装フィルムＦ２を中央の固定部材１６２に一時的に押え付けるエアーシリンダ１１３と、このエアーシリンダ１１３の先端に設けた押え板１１５で構成されている。
【００３２】
この上には、右側フィルムカッター部材１２１があり、包装フィルムＦ２を切断するカッター用エアーシリンダ１２５と、このこのエアーシリンダ１２５の先端に設けたカッター刃１２３で構成されている。
【００３３】
フィルム継ぎ機構１０１の中央付近には、フィルム接合機構１３０があり、このフィルム接合機構１３０に押し込まれた現用側フィルムの終端部分と予備側フィルムの始端部分を合掌状に溶着させる下側ヒートシール部材１３６、１３７と、上側ヒートシール部材１３８、１３９と、下側ヒートシール部材１３６、１３７を上側ヒートシール部材１３８、１３９の方に押圧するシールシリンダ１３１と、このフィルム接合機構１３０に押し込まれた現用側フィルムの終端部分と予備側フィルムの始端部分に対してヒートシールが終了するまでフィルムを保持している上側吸着部材１３５と下側吸着部材１３４と、ヒートシール終了後に余剰部分を切り離す余剰カッター用エアーシリンダ１３２とこのエアーシリンダ１３２の先端に設けた余剰カッター刃１３３で構成されている。なお、上側吸着部材１３５と下側吸着部材１３４には、フィルム接触面に小さな穴が多数開いており、この穴を通してエアーを吸入するように構成されている。
【００３４】
そして、この吸入力により現用側フィルムの終端部分と予備側フィルムの始端部分を保持している。また、上側ヒートシール部材１３８と下側ヒートシール部材１３６内には、発熱素子であるヒータが内包されており、上側ヒートシール部材１３９と下側ヒートシール部材１３７内には、発熱素子であるヒータと温度検知素子である熱電対が内包されている。
【００３５】
このフィルム接合機構１３０の右側には、フィルム押し込み機構１４０があり、現用側フィルムの終端部分と予備側フィルムの始端部分をフィルム接合機構１３０内に送り込む押し込み用エアーシリンダ１４２と、この押し込み用エアーシリンダの先端に設けた押し込み板１４１とで構成されている。
【００３６】
フィルム接合機構１３０とフィルム押し込み機構１４０の上には、事前に予備側フィルムを仮止めするための左側仮止め機構１５０と、右側仮止め機構１５１があり、左側仮止め機構１５０には仮止めレバー１５２が圧縮バネ１５４によって取り付け板１５６に押し付けられている。同じく右側仮止め機構１５１には仮止めレバー１５３が圧縮バネ１５５によって取り付け板１５７に押し付けられている。
【００３７】
図３乃至図８は、本発明にかかる自動フィルム継ぎ装置１００のフィルム継ぎ機構１０１の動作について説明した概略図である。これらの図では主に動作に関する説明のために代表的な部材のみを表示しているが、下記動作説明の構成部材については、図３乃至図８と共に図１、図２も参照して記載している。
【００３８】
図３は、フィルム継ぎ準備の状態を表したフィルム継ぎ機構１０１の動作説明概略図である。図３に示すように、自動包装機１のリールに脱着交換可能に保持されている現用側原反ロールＦＸは、自動包装機１の動作に合わせて必要量の包装フィルムＦ１が引き出されて走行しており、左側押え板１１４や左側カッター刃１２２はＯＦＦ状態（引き込まれた状態）、フィルム接合機構１３０やフィルム押し込み機構１４０もＯＦＦ状態（フィルム接合／フィルム押し込み動作ＯＦＦ状態）になっている。また、この原反ロールＦＸは包装フィルムの終端が近付いている状態になっている。
【００３９】
一方、自動フィルム継ぎ装置１００のリールに脱着交換可能に保持されている予備側原反ロールＦＹは、停止状態になっており、引き出された包装フィルムＦ２の始端部分は、右側仮止め機構１５１の仮止めレバー１５３により保持されている。同様に、右側押え板１１５や右側カッター刃１２３はＯＦＦ状態（引き込まれた状態）になっている。
【００４０】
即ち、現用側包装フィルムＦ１は通路１６０を走行して自動包装機１に送り込まれており、予備側包装フィルムＦ２は、フィルム継ぎ機構１０１内に保持されてフィルム継ぎ動作に備えている。
【００４１】
図４は、現用側原反ロールのフィルムが終了した状態を表したフィルム継ぎ機構１０１の動作説明概略図である。図４に示すように、自動包装機１のリールに脱着交換可能に保持されている現用側原反ロールのフィルム終端部分が検出されると、フィルム継ぎ装置側繰り出し機構１０２が停止して包装フィルムＦ１の走行が止まる。同時に左側フィルム押え部材１１０のエアーシリンダ１１２がＯＮ駆動されて押え板１１４が包装フィルムＦ１を固定し、右側フィルム押え部材１１１のエアーシリンダ１１３がＯＮ駆動されて押え板１１５が包装フィルムＦ２を固定する。即ち、上記に記載したフィルム継ぎ動作を指示する信号は、自動包装機１が現用側原反ロールのフィルム終端部分を検出した信号を受信したことにより作成していたが、原反ロールの途中でフィルム継ぎを指示する場合は、自動包装機1の操作ボックスに設けたフィルム継ぎボタンの押下を受信したことにより作成している。
【００４２】
図５は、現用側原反ロールのフィルム終端部分がカットされた状態を表したフィルム継ぎ機構１０１の動作説明概略図である。図５に示すように、現用側フィルムＦ１及び予備側フィルムＦ２が押え板１１４及び押え板１１５によって押えられた状態のまま左側フィルムカッター部材１２０のカッター用エアーシリンダ１２４がＯＮ駆動されてカッター刃１２２が現用側フィルムＦ１を切断する。この結果現用側包装フィルムＦ１の規定された位置に確実に終端部分が形成される。
【００４３】
図６は、フィルム押し込み機構１４０によって現用側フィルムの終端部分と予備側フィルムの始端部分がフィルム接合機構１３０に押し込まれている状態を表したフィルム継ぎ機構１０１の動作説明概略図である。図６に示すように、カッター刃１２２によって切断された現用側フィルムＦ１の終端部分と仮止めレバー１５３によって保持された予備側フィルムＦ２の始端部分は、フィルム押し込み機構１４０の押し込み板１４１によってフィルム接合機構１３０内に押し込まれる。同時に、左側フィルムカッター部材１２０のカッター用エアーシリンダ１２４をＯＦＦ駆動してカッター刃１２２を元に戻し、フィルム接合機構１３０の上側吸着部材１３５と下側吸着部材１３４をＯＮ駆動（バキュームＯＮ駆動）して現用側フィルムＦ１の終端部分と予備側フィルムＦ２の始端部分を保持する。
【００４４】
図７は、現用側フィルムの終端部分と予備側フィルムの始端部分に対してフィルム継ぎ動作が実施されている状態を表したフィルム継ぎ機構１０１の動作説明概略図である。図７に示すように、フィルム接合機構１３０内に押し込まれた押し込み板１４１を抜き取るためにフィルム押し込み機構１４０の押し込み用エアーシリンダ１４２をＯＦＦ駆動する。この時、上側吸着部材１３５と下側吸着部材１３４が現用側フィルムＦ１の終端部分と予備側フィルムＦ２の始端部分を保持しているため、この二つのフィルム端部はフィルム接合機構１３０内に押し込まれたままの状態を維持している。この状態のままで右側（予備側）フィルム押え部材１１１のエアーシリンダ１１３をＯＦＦ駆動して押え板１１５を開放すると共に、フィルム接合機構１３０内のシールシリンダ１３１をＯＮ駆動して下側ヒートシール部材１３６、１３７を上側ヒートシール部材１３８、１３９の方に押圧する。この押圧駆動によって挟み込んだ現用側フィルムＦ１の終端部分と予備側フィルムＦ２の始端部分がヒートシールされる。この結果、現用側フィルムＦ１の終端部分と予備側フィルムＦ２の始端部分は溶着され、その後、余剰カッター用エアーシリンダ１３２をＯＮ駆動してヒートシール部分の中央付近を余剰カッター刃１３３でカットする。
【００４５】
図８は、フィルム継ぎ動作が終了して予備側フィルムＦ２が現用側フィルムとして送り込まれる状態を表したフィルム継ぎ機構１０１の動作説明概略図である。図８に示すように、フィルム継ぎ動作が終了すると、フィルム接合機構１３０内のシールシリンダ１３１がＯＦＦ駆動されて下側ヒートシール部材１３６、１３７と上側ヒートシール部材１３８、１３９の押圧が開放され、同時に、余剰カッター用エアーシリンダ１３２がＯＦＦ駆動されて余剰カッター刃１３３が元に戻る。そして、溶着完了した現用側フィルムＦ１の終端部分と予備側フィルムＦ２の始端部分におけるフィルム挟み込みが開放されてこれらのフィルムはフリー状態になり、その後、フィルム継ぎ装置側繰り出し機構１０２を駆動し、溶着（接続）されたフィルムＦ１とフィルムＦ２の繰り出し動作を再開する。
【００４６】
この結果、接続されたフィルムＦ１とフィルムＦ２は、フィルム接合機構１３０内から引き出されて通路１６１上を走行するようになり、図４から図７までの間停止していた原反ロールからのフィルム引き出し動作が再開される。なお、この原反ロールからのフィルム引き出し動作が停止している間（即ち、フィルム継ぎ動作が行われる間）の自動包装機１への包装フィルム供給は、手繰り機構（アキュムレート機構）１０３に蓄積された余裕フィルムを繰り出すことで対応している。
【００４７】
最後に、フィルム接合機構１３０の上側吸着部材１３５と下側吸着部材１３４をＯＦＦ駆動（バキュームＯＦＦ駆動）し、左側フィルム押え部材１１０のエアーシリンダ１１２をＯＦＦ駆動して、余剰カッター刃１３３でカットされた余剰シール端部とカッター刃１２２でカットされた現用側フィルムＦ１の余剰端部をフィルム継ぎ機構１０１より取り外して破棄する。
【００４８】
なお、図３乃至図８において説明した実施例では、自動包装機１側のリールに現用側原反ロールＦＸが搭載され、自動フィルム継ぎ装置１００側のリールに予備側原反ロールＦＹが搭載されたケースで説明したが、自動フィルム継ぎ装置１００側の原反ロールが現用側になり、自動包装機１側の原反ロールが予備側になるケースも考えられる。この場合は、図３乃至図８において説明した各部材の左右反対側に設置されている対応部材を動作させてフィルム継ぎ動作が実施されるものとする。
【００４９】
即ち、図３と同じフィルム継ぎ準備の状態においては、自動包装機１側の予備原反ロールから引き出されたフィルム始端部分は、左側仮止め機構１５０の仮止めレバー１５２により保持されるように動作し、図５と同じ現用側原反ロールのフィルム終端部分をカットした状態においては、右側フィルムカッター部材１２１のカッター用エアーシリンダ１２５がＯＮ駆動されてカッター刃１２３が現用側フィルムを切断し、その後、カッター用エアーシリンダ１２５をＯＦＦ駆動してカッター刃１２３を元に戻すように動作し、図７と同じ現用側フィルムの終端部分と予備側フィルムの始端部分に対してフィルム継ぎ動作を実施している状態においては、左側（予備側）フィルム押え部材１１０のエアーシリンダ１１２をＯＦＦ駆動して押え板１１４を開放し、最後に、右側フィルム押え部材１１１のエアーシリンダ１１３をＯＦＦ駆動して押え板１１５を開放するように動作する。
【００５０】
このように、本発明のフィルム継ぎ装置は、フィルム継ぎ時に発生する現用側フィルムの余剰部分を確実に切り離すために、フィルム継ぎ動作の前に現用側フィルムの規定位置を切断して明確な終端部分を作り、この終端部分に対して待機中の予備側フィルムの始端部分を張り合わせている。また、手動フィルム継ぎ装置を設備した従来の充填包装機に隣接して自動フィルム継ぎ機構を追加搭載するために、従来の充填包装機に搭載されているフィルム繰り出し機構を再利用すると共に、自動フィルム継ぎ機構内にフィルム継ぎ動作を司る駆動部材を２セット分設置して現用フィルムロールと予備フィルムロールが切り替わったら、これに合わせて駆動部材も切り替わるように制御して走行中の現用フィルムロールと待機中の予備フィルムロールを入れ換えるターレット機構を省略している。即ち、本発明のフィルム継ぎ装置は、最初に、現用側のフィルムに対して規定の位置に新たな終端部分を構成し、次に、この終端部分に予備側のフィルム始端部分を溶着することにより、簡単な構成で確実なフィルム継ぎ動作ができる自動フィルム継ぎ装置を提供できる共に、従来の手動フィルム継ぎ装置を設備した充填包装機に対しても自動化機能を追加構成することが可能となるフィルム継ぎ装置を提供できる。
【００５１】
一方、上記現用側フィルムの新規の終端部分と予めセットされていた予備側のフィルム始端部分を合掌状にフィルム継ぎする際に、これらのフィルム端部をフィルム押し込み機構がフィルム接合機構内に押し込むように動作するが、この時に、重ね合わせた二つのフィルム端部がフィルム接合機構の挿入口上側角部及び下側角部付近で互いに突っ張り合って大きなフィルム摩擦抵抗が発生することがある。このような現象は、包装フィルムの材質やテンションの張り具合等によって大きく左右されるが、このような事態に対応するための工夫について、下記図９乃至図１２を用いて説明する。
【００５２】
図９は、本発明にかかる自動フィルム継ぎ装置１００における他のフィルム継ぎ機構２０１の一部断面を含む正面図である。図９に示すように、フィルム継ぎ機構２０１には、現用側包装フィルム若しくは予備側包装フィルムが通過する通路１６０と通路１６１が想定されており、この通路に添って各種部材が構成されている。なお、今回の説明は前例（図２を用いた説明）と同じように、図９に示すように、便宜上通路１６０に流れる包装フィルムを現用側とし、通路１６１に流れる包装フィルムを予備側とする。そして、この二つの通路１６０、１６１に流れる包装フィルムの役割は、フィルム継ぎ動作が行われる度に現用側と予備側とで切り替わるようになる。
【００５３】
通路１６０には、左側フィルム押え部材１１０があり、現用側包装フィルムＦ１を中央の固定部材１６２に一時的に押え付けるエアーシリンダ１１２と、このエアーシリンダ１１２の先端に設けた押え板１１４で構成されている。
【００５４】
この上には、左側フィルムカッター部材１２０があり、包装フィルムＦ１を切断するカッター用エアーシリンダ１２４と、このこのエアーシリンダ１２４の先端に設けたカッター刃１２２で構成されている。
【００５５】
通路１６１には、右側フィルム押え部材１１１があり、予備側包装フィルムＦ２を中央の固定部材１６２に一時的に押え付けるエアーシリンダ１１３と、このエアーシリンダ１１３の先端に設けた押え板１１５で構成されている。
【００５６】
この上には、右側フィルムカッター部材１２１があり、包装フィルムＦ２を切断するカッター用エアーシリンダ１２５と、このこのエアーシリンダ１２５の先端に設けたカッター刃１２３で構成されている。
【００５７】
フィルム継ぎ機構２０１の中央付近には、フィルム接合機構１３０があり、このフィルム接合機構１３０に押し込まれた現用側フィルムの終端部分と予備側フィルムの始端部分を合掌状に溶着させる下側ヒートシール部材１３６、１３７と、上側ヒートシール部材１３８、１３９と、下側ヒートシール部材１３６、１３７を上側ヒートシール部材１３８、１３９の方に押圧するシールシリンダ１３１と、このフィルム接合機構１３０に押し込まれた現用側フィルムの終端部分と予備側フィルムの始端部分に対してヒートシールが終了するまでフィルムを保持している上側吸着部材１３５と下側吸着部材１３４と、ヒートシール終了後に余剰部分を切り離す余剰カッター用エアーシリンダ１３２とこのエアーシリンダ１３２の先端に設けた余剰カッター刃１３３で構成されている。なお、上側吸着部材１３５と下側吸着部材１３４には、フィルム接触面に小さな穴が多数開いており、この穴を通してエアーを吸入するように構成されている。
【００５８】
そして、この吸入力により現用側フィルムの終端部分と予備側フィルムの始端部分を保持している。また、上側ヒートシール部材１３８と下側ヒートシール部材１３６内には、発熱素子であるヒータが内包されており、上側ヒートシール部材１３９と下側ヒートシール部材１３７内には、発熱素子であるヒータと温度検知素子である熱電対が内包されている。
【００５９】
このフィルム接合機構１３０の右側には、フィルム押し込み機構１４０があり、現用側フィルムの終端部分と予備側フィルムの始端部分をフィルム接合機構１３０内に送り込む押し込み用エアーシリンダ１４２と、この押し込み用エアーシリンダの先端に設けた押し込み板１４１とで構成されている。
【００６０】
フィルム接合機構１３０とフィルム押し込み機構１４０の間には、フィルム押し込み機構１４０がフィルム接合機構１３０内に現用側フィルムの終端部分と予備側フィルムの始端部分を押し込む際に、これら二つのフィルム端部が互いに突っ張ることなく分離空間を保有するように配置されたフィルムガイド棒部材１７０乃至１７４がある。
【００６１】
また、フィルム接合機構１３０によって、合掌状に溶着された現用側フィルムの終端部分と予備側フィルムの始端部分に対して冷却用のエアーを放出するエアー筒１８０が設置されている。
【００６２】
フィルム接合機構１３０とフィルム押し込み機構１４０の上には、事前に予備側フィルムを仮止めするための左側仮止め機構１５０と、右側仮止め機構１５１があり、左側仮止め機構１５０には仮止めレバー２５２が圧縮バネ１５４によって取り付け板２５６に押し付けられている。同じく右側仮止め機構１５１には仮止めレバー２５３が圧縮バネ１５５によって取り付け板２５７に押し付けられている。
【００６３】
そして、左側仮止め機構１５０の仮止めレバー２５２に係止されている予備側フィルムを開放するために、エアーシリンダ２５８が取り付け板２５６に設置されている。同じく右側仮止め機構１５１の仮止めレバー２５３に係止されている予備側フィルムを開放するために、エアーシリンダ２５９が取り付け板２５７に設置されている。
【００６４】
図１０乃至図１２は、本発明にかかる自動フィルム継ぎ装置１００における他のフィルム継ぎ機構２０１の動作について説明した概略図である。これらの図では主に動作に関する説明のために代表的な部材のみを表示しているが、下記動作説明の構成部材については、図１０乃至図１２と共に図１、図９も参照して記載している。
【００６５】
なお、今回の説明におけるフィルム継ぎ準備動作及びフィルム終了動作は、前例（図３乃至図８を用いた動作説明）の図３及び図４と同じであるため、省略しており、図５（フィルム終端カット）に対応する動作として図１０、図６（現用／予備フィルム押し込み）に対応する動作として図１２を用いて説明している。また、図１１は、前例（図３乃至図８を用いた動作説明）における図５と図６の間に対応する動作として説明している。そして、今回の説明におけるフィルム継ぎ動作及びフィルム継ぎ終了動作は、前例（図３乃至図８を用いた動作説明）の図７及び図８と同じであるため、省略している。
【００６６】
図１０は、現用側原反ロールのフィルム終端部分がカットされた状態を表したフィルム継ぎ機構２０１の動作説明概略図である。図１０に示すように、引き出された予備側包装フィルムＦ２の始端部分は、押し込み板１４１の左側と、フィルムガイド棒部材１７３とフィルムガイド棒部材１７４の右側を通って右側仮止め機構１５１の仮止めレバー２５３により保持されている。そして、現用側フィルムＦ１及び予備側フィルムＦ２が押え板１１４及び押え板１１５によって押えられた状態のまま左側フィルムカッター部材１２０のカッター用エアーシリンダ１２４がＯＮ駆動されてカッター刃１２２が現用側フィルムＦ１を切断する。この結果現用側包装フィルムＦ１の規定された位置に確実に終端部分が形成される。なお、予備側包装フィルムＦ２が左側仮止め機構１５０の仮止めレバー２５２により保持されているケースにおいては、包装フィルムＦ２の始端部分は通路１６０を経由してフィルムガイド棒部材１７３とフィルムガイド棒部材１７２の左側と、フィルムガイド棒部材１７１とフィルムガイド棒部材１７０の右側を通ることになる。即ち、フィルム継ぎ動作を行っていない時の現用側フィルム及び予備側フィルムは、図中のフィルムガイド棒部材１７０乃至１７４に接触することなく流れるように配置されている。
【００６７】
図１１は、フィルム押し込み機構１４０によって現用側フィルムの終端部分と予備側フィルムの始端部分がフィルム接合機構１３０に押し込まれている途中の状態を表したフィルム継ぎ機構２０１の動作説明概略図である。図１１に示すように、フィルム押し込み機構１４０の押し込み板１４１がフィルム押し込み動作を開始すると、自動フィルム継ぎ装置１００はエアーシリンダ２５９をＯＮ駆動にして仮止めレバー２５３を開け、係止している予備側フィルムの始端部分を開放する。
【００６８】
そして、図に示すように、押し込み板１４１によって現用側フィルムＦ１と予備側フィルムＦ２がフィルム接合機構１３０に押し込まれているように動作しているが、その際、現用側フィルムＦ１はフィルムガイド棒部材１７２に導かれ、予備側フィルム始端部分はフィルムガイド棒部材１７４に導かれている。また、カッター刃１２２によって切断された現用側フィルムＦ１の終端部分はフィルムガイド棒部材１７１に導かれ、予備側フィルムＦ２はフィルムガイド棒部材１７３に導かれている。
【００６９】
このように、フィルムガイド棒部材１７２とフィルムガイド棒部材１７４は、現用側フィルムＦ１と予備側フィルム始端部分の間に離間空間を保有するように配置されており、フィルムガイド棒部材１７１とフィルムガイド棒部材１７３は、現用側フィルムＦ１の終端部分と予備側フィルムＦ２の間に離間空間を保有するように配置されている。
【００７０】
図１２は、フィルム押し込み機構１４０によって現用側フィルムの終端部分と予備側フィルムの始端部分がフィルム接合機構１３０に押し込まれて完了した状態を表したフィルム継ぎ機構２０１の動作説明概略図である。図１２に示すように、現用側フィルムＦ１の終端部分と予備側フィルムＦ２の始端部分は、フィルム押し込み機構１４０の押し込み板１４１によってフィルム接合機構１３０内に押し込まれており、封筒貼り状態の二枚のフィルム端部に対して、一方のフィルム端部の面を入れ換えて互いのフィルムシーラント層が合掌状に向き合うようになっている。同時に、左側フィルムカッター部材１２０のカッター用エアーシリンダ１２４をＯＦＦ駆動してカッター刃１２２を元に戻し、フィルム接合機構１３０の上側吸着部材１３５と下側吸着部材１３４をＯＮ駆動（バキュームＯＮ駆動）して現用側フィルムＦ１の終端部分と予備側フィルムＦ２の始端部分を保持している。
【００７１】
このように、上記フィルム接合機構の挿入口上側角部と挿入口下側角部付近には五つのガイド棒部材が設けられており、これらのガイド棒部材は、現用側包装フィルムと予備側包装フィルムの二つのフィルム端部が突っ張ることなく互いに分離空間を保有するように配置され、この結果、二つのフィルム端部がフィルム接合機構の挿入口に押し込まれる際に発生するフィルム摩擦抵抗を抑えることができる。
【００７２】
また、前例（図３乃至図８を用いた動作説明）と同じように、本発明のフィルム継ぎ装置は、フィルム継ぎ時に発生する現用側フィルムの余剰部分を確実に切り離すために、フィルム継ぎ動作の前に現用側フィルムの規定位置を切断して明確な終端部分を作り、この終端部分に対して待機中の予備側フィルムの始端部分を張り合わせている。また、手動フィルム継ぎ装置を設備した従来の充填包装機に隣接して自動フィルム継ぎ機構を追加搭載するために、従来の充填包装機に搭載されているフィルム繰り出し機構を再利用すると共に、自動フィルム継ぎ機構内にフィルム継ぎ動作を司る駆動部材を２セット分設置して現用フィルムロールと予備フィルムロールが切り替わったら、これに合わせて駆動部材も切り替わるように制御して走行中の現用フィルムロールと待機中の予備フィルムロールを入れ換えるターレット機構を省略している。即ち、本発明のフィルム継ぎ装置は、最初に、現用側のフィルムに対して規定の位置に新たな終端部分を構成し、次に、この終端部分に予備側のフィルム始端部分を溶着することにより、簡単な構成で確実なフィルム継ぎ動作ができる自動フィルム継ぎ装置を提供できる共に、従来の手動フィルム継ぎ装置を設備した充填包装機に対しても自動化機能を追加構成することが可能となるフィルム継ぎ装置を提供できる。
【００７３】
なお、本発明の実施の形態は本発明を具現化するための一例を示したものであり、特許請求の範囲における発明特定事項とそれぞれ対応関係を有するが、これに限定されるものではなく本発明の要旨を逸脱しない範囲において種々の変形を施すことができる。
【００７４】
例えば、図２におけるフィルム継ぎ機構１０１のフィルム接合機構１３０の配設位置をできるだけ正面視左側にして、このフィルム接合機構１３０内に押し込められた現用側フィルム終端部分と予備側フィルム始端部分に施すヒートシール位置をできるだけ最端部になるように構成する。このように構成した結果、余剰シール端部が最小状態になり、この余剰シール端部を切り離して破棄する必要がなくなる。即ち、フィルム接合機構１３０内に配設されている余剰カッター用エアーシリンダ１３２や余剰カッター刃１３３等の部材並びに駆動制御が不要となり、構成の単純化並びにコスト削減が図れる。
【図面の簡単な説明】
【００７５】
【図１】本発明にかかるロールタイプ自動包装機と自動フィルム継ぎ装置の正面図である。
【図２】本発明にかかる自動フィルム継ぎ装置１００のフィルム継ぎ機構１０１の一部断面を含む正面図である。
【図３】フィルム継ぎ準備の状態を表したフィルム継ぎ機構１０１の動作説明概略図である。
【図４】現用側原反ロールのフィルムが終了した状態を表したフィルム継ぎ機構１０１の動作説明概略図である。
【図５】現用側原反ロールのフィルム終端部分がカットされた状態を表したフィルム継ぎ機構１０１の動作説明概略図である。
【図６】フィルム押し込み機構１４０によって現用側フィルムの終端部分と予備側フィルムの始端部分がフィルム接合機構１３０に押し込まれている状態を表したフィルム継ぎ機構１０１の動作説明概略図である。
【図７】現用側フィルムの終端部分と予備側フィルムの始端部分に対してフィルム継ぎ動作が実施されている状態を表したフィルム継ぎ機構１０１の動作説明概略図である。
【図８】フィルム継ぎ動作が終了して予備側フィルムＦ２が現用側フィルムとして送り込まれる状態を表したフィルム継ぎ機構１０１の動作説明概略図である。
【図９】本発明にかかる自動フィルム継ぎ装置１００における他のフィルム継ぎ機構２０１の一部断面を含む正面図である。
【図１０】現用側原反ロールのフィルム終端部分がカットされた状態を表したフィルム継ぎ機構２０１の動作説明概略図である。
【図１１】フィルム押し込み機構１４０によって現用側フィルムの終端部分と予備側フィルムの始端部分がフィルム接合機構１３０に押し込まれている途中の状態を表したフィルム継ぎ機構２０１の動作説明概略図である。
【図１２】フィルム押し込み機構１４０によって現用側フィルムの終端部分と予備側フィルムの始端部分がフィルム接合機構１３０に押し込まれて完了した状態を表したフィルム継ぎ機構２０１の動作説明概略図である。
【符号の説明】
【００７６】
１    ロールタイプ自動包装機
２    包装機側繰り出し機構
３    ガイドロール
４    折りたたみ機構
５    充填機構
６    縦シールロール
７    第一横シール機構
８    第二横シール機構
９    第一カッター装置
１０    第二カッター装置
１１    滑り台
１２、１３    操作ボックス
１００    自動フィルム継ぎ装置
１０１、２０１    フィルム継ぎ機構
１０２    フィルム継ぎ装置側繰り出し機構
１０３    手繰り機構（アキュムレート機構）
１０４    エンコーダ機構
１０５    フィルム送りローラ
１１０    左側フィルム押え部材
１１１    右側フィルム押え部材
１２０    左側フィルムカッター部材
１２１    右側フィルムカッター部材
１３０    フィルム接合機構
１４０    フィルム押し込み機構
１５０    左側仮止め機構
１５１    右側仮止め機構
１６０、１６１    通路
【図１】
2008001429.tif 000003
【図２】
2008001429.tif 000004
【図３】
2008001429.tif 000005
【図４】
2008001429.tif 000006
【図５】
2008001429.tif 000007
【図６】
2008001429.tif 000008
【図７】
2008001429.tif 000009
【図８】
2008001429.tif 000010
【図９】
2008001429.tif 000011
【図１０】
2008001429.tif 000012
【図１１】
2008001429.tif 000013
【図１２】
2008001429.tif 000014